(57)【要約】【課題】別途のシール作業を必要とせず、しかも、美観を損ねることなく構成材間をシールすることのできる木製構造物のシール構造を提供する。【解決手段】相互に当接するようにして組み付けられた複数の構成材（土台材１０，柱材２０，壁材３０）と、一方の構成材（土台材１０，柱材２０）の当接面に設けられた溝５０と、該溝５０に装着されると共に他方の構成材（壁材３０）の当接面に押圧されて構成材間（土台材１０と壁材２０との間，柱材２０と壁材３０との間）をシールするシール部材４０とを備える。また、前記各構成材（柱材２０，壁材３０）の各当接面に互い対向するように凹設されたアリ溝２１，３１と、該アリ溝２１，３１にアリ嵌合し、前記シール部材４０を押圧するようにして各構成材（柱材２０，壁材３０）を連結する連結部材６０とを備える。【選択図】図１
2005083029.tif 000002
【特許請求の範囲】
【請求項１】
相互に当接するようにして組み付けられた複数の構成材と、
一方の構成材の当接面に設けられた溝と、
該溝に装着されると共に他方の構成材の当接面に押圧されて構成材間をシールするシール部材と
を備えることを特徴とする木製構造物のシール構造。
【請求項２】
前記各構成材の各当接面に互い対向するように凹設されたアリ溝と、
該アリ溝にアリ嵌合し、前記シール部材を押圧するようにして各構成材を連結する連結部材と
を備えることを特徴とする請求項１に記載の木製構造物のシール構造。
【請求項３】
前記各構成材は、相互の当接面が凹凸嵌合するように構成されており、
前記シール部材は、凹凸嵌合部分の外側に配置されていることを特徴とする請求項１または請求項２に記載の木製構造物のシール構造。
【請求項４】
相互に当接する構成材のうちの少なくとも一方の構成材は、複数の木製部材を一体化して構成されており、
該構成材の当接面に、相互に接合する木製部材の接合線が露呈されており、
前記シール部材は、前記接合線の外側に配置されていることを特徴とする請求項１から請求項３までのいずれか一つに記載の木製構造物のシール構造。
【発明の詳細な説明】
【技術分野】
【０００１】
本発明は、木製構造物のシール構造に関するものであり、詳しくは、木製構造物を構成する土台材、柱材、壁材、梁材、桁材等の構成材間をシールするシール構造に関するものである。
【背景技術】
【０００２】
ログハウスや木造住宅等の木製建築物、カウンターや間仕切り等の木製屋内設備、遊具や柵等の木製屋外設備、或は木製家具等、各種の木製構造物は、土台材、柱材、壁材、梁材、桁材等の構成材を組み付けて構成されている。そして、木製建築物や木製屋外設備等の風雨に晒される木製構造物や、台所、風呂場、洗面所等の水が掛かり易い場所に設置される木製屋内設備や木製家具等の木製構造物では、構成材間の継目から相互に当接する構成材の当接面に水が侵入しないように、シールをする必要がある。そこで、従来、構成材を組み付けた後に、構成材間の継目にコーキング材を充填して、このコーキング材により構成材間をシールするシール構造が採用されていた。
【０００３】
上記従来技術は、一般的な事項であり、本出願人は、本願出願時において、この従来技術を特定する文献を特に知見していない。
【発明の開示】
【発明が解決しようとする課題】
【０００４】
従来のシール構造では、構成材間をシールするために、構成材を組み付けた後に、構成材間の継目にコーキング材を充填するといったシール作業を別途、必要としていた。また、コーキング材が木製構造物の外面に露呈するため、美観を損ねるものであった。
【０００５】
本発明は、上記実状を鑑みてなされたものであり、別途のシール作業を必要とせず、しかも、美観を損ねることなく構成材間をシールすることのできる木製構造物のシール構造の提供を課題とする。
【課題を解決するための手段】
【０００６】
上記課題を解決するための主要な手段は、
「相互に当接するようにして組み付けられた複数の構成材と、
一方の構成材の当接面に設けられた溝と、
該溝に装着されると共に他方の構成材の当接面に押圧されて構成材間をシールするシール部材と
を備えることを特徴とする木製構造物のシール構造」
である。
【０００７】
上記構成のシール構造では、構成材を相互に組み付ければ、一方の構成材の当接面の溝に装着されたシール部材が、他方の構成材の当接面によって押圧され、これにより、相互に当接する構成材間がシールされる。よって、構成材間の継目にコーキング材を充填するといったシール作業を必要とせず、構成材間をシールすることができる。また、シール部材は、相互に当接する構成材の各当接面間に配置されることになるため、木製構造物の外面に露呈しない。よって、美観を損なうことなく、構成材間をシールすることもできる。
【０００８】
また、シール部材は、一方の構成材に設けられた溝に装着されているため、構成材同士を組み付ける際にシール部材に位置ズレが生じ難い。よって、上記構成のシール構造では、構成材間を良好にシールすることもできる。
【０００９】
なお、構成材同士の当接面に水が侵入することを良好に防止するためには、水が掛かる虞のある側にシール部材を配置するのが好適であり、木製構造物が、例えばログハウス等の木製建築物のように、屋外側の外装面と室内側の内装面とを有するものである場合には、構成材の外装面側に溝を設けて、この溝にシール部材を装着するのがよい。また、木製構造物が、例えば屋外遊具や柵等の木製屋外設備のように、表裏両面が共に外装面である場合には、構成材の表裏両面側の双方に一対の溝を設けて、各溝にシール部材を装着するのがよい。
【００１０】
また、シール部材を構成材の当接面によって押圧させるためには、構成材の自重によってシール部材に押圧力が付与されるようにしてもよく、或は、ボルト締めや、その他の種々の締付手段を用いて、シール部材に押圧力が付与されるようにしてもよい。
【００１１】
上述した手段において、
「前記各構成材の各当接面に互い対向するように凹設されたアリ溝と、
該アリ溝にアリ嵌合され、前記シール部材を押圧するようにして各構成材を連結する連結部材と
を備えることを特徴とする木製構造物のシール構造」
としてもよい。
【００１２】
ここで、アリ溝とは、溝の断面形状全体における適宜の部位において、開口部側が狭く
、奥側が広い幅寸法となっている形状の溝であり、例えば、鳩尾型、Ｔ字型、鍵穴型等の形状の溝である。そして、このようなアリ溝にアリ嵌合する連結部材は、アリ溝の断面形状に略一致する断面形状の部位を有するものに限らず、アリ溝に装着された状態で溝の開口部分から抜脱不能な断面形状の部位を有するものであればよい。
【００１３】
上記構成では、各構成材のアリ溝にアリ嵌合する連結部材によって構成材同士を連結すれば、構成材間のシール部材が押圧される。よって、連結部材により構成材同士を連結しさえすれば、構成材間を確実にシールすることができる。
【００１４】
上述した手段において
「前記各構成材は、相互の当接面が凹凸嵌合するように構成されており、
前記シール部材は、凹凸嵌合部分の外側に配置されていることを特徴とする木製構造物のシール構造」
としてもよい。
【００１５】
構成材を組み付ける場合、構成材相互の的確な位置決めや堅固な固定を実現するために、構成材の当接面同士を凹凸嵌合させる仕口を採用することがある。このような仕口で構成材相互が当接していると、毛細管現象により当接面間に水が侵入し易く、また、一旦侵入した水は、良好に排出されない。そこで、上記構成の通り、凹凸嵌合部分の外側にシール部材を配置すると、このシール部材によって、凹凸嵌合部分に水が到達することを阻止できる。よって、相互に当接する構成材の当接面が、水が侵入し易い凹凸嵌合する仕口であっても、構成材の当接面間に水が侵入することを的確に防止することができる。
【００１６】
上述した手段において
「相互に当接する構成材のうちの少なくとも一方の構成材は、複数の木製部材を一体化して構成されており、
該構成材の当接面に、相互に接合する木製部材の接合線が露呈されており、
前記シール部材は、前記接合線の外側に配置されていることを特徴とする木製構造物のシール構造」
としてもよい。
【００１７】
ここで、複数の木製部材を一体化する構造としては、特に限定するものではないが、例えば、複数の木製部材を互いに係合するように組付けて一体化する構造、ネジ止めや釘止めで一体化する構造、接着剤によって一体化する構造等を例示することができる。
【００１８】
複数の木製部材を一体化した構造材を他の構造材に組み付ける場合、相互に接合された木製部材の接合線が当接面に露呈していると、構成材の当接面間から侵入した水が、さらに、上記接合線から木製部材間の接合面に侵入する虞がある。このように構成材を構成する木製部材の接合面に水が侵入すると、構成材自体の内部に水が侵入することになり、構成材自体が内部から腐食する虞が生じる。よって、構成材の当接面に木製部材同士の接合線が露呈する態様では、構成材の当接面間から構成材内部に水が侵入することを是非とも防止しなければならない。そこで、上記構成の通り、木製部材同士の接合線の外側にシール部材を配置すると、このシール部材によって、上記接合線に水が到達することを阻止できる。よって、構成材の当接面に木製部材同士の接合線が露呈する態様であっても、当接面から構成材自体の内部に水が侵入することを的確に防止することができる。
【発明の効果】
【００１９】
上述のように、本発明によれば、別途のシール作業を必要とせず、しかも、美観を損ねることなく構成材間をシールすることのできる木製構造物のシール構造を提供とすることができる。
【発明を実施するための最良の形態】
【００２０】
本発明に係る木製構造物のシール構造の実施形態を、以下に、図面に基づいて詳細に説明する。
【００２１】
図１に、本発明に係る木製構造物におけるシール構造の一例を示す。なお、本例では、木製構造物として、土台材１０、柱材２０、壁材３０等の構成材を組み付けて構成された木製建築物、より具体的にはログハウス等の木製建築物を対象としている。
【００２２】
この木製構造物は、土台材１０と、土台材１０の適宜部位に立設された複数の柱材２０と、土台材１０を基台として柱材２０間にて積重された複数の壁材３０とを具備している。ここで、土台材１０に積重された個々の壁材３０は、柱材２０の側面に上下方向に設けられたアリ溝２１と、壁材３０の端面に上下方向に設けられたアリ溝３１とにアリ嵌合するようにして装着された個々の連結部材６０によって、柱材２０に対して離間不能に連結されている。
【００２３】
また、この木製構造物では、土台材１０と壁材３０とが、土台材１０と柱材２０とが、並びに、柱材２０と壁材３０とが、夫々、シール部材４０を介して相互に当接するように組み付けられており、このシール部材４０によって相互の当接面間がシールされている。ここで、本例においては、シール部材４０が、ゴムや樹脂等の弾性素材により断面略円形状で長尺状に形成されており、土台材１０の上面に長手方向に延設された溝５０、及び、柱材２０の側面に長手方向に延設された溝５０の夫々に、圧入状態で装着されている。なお、シール部材４０としては、これに限らず、例えば、流体状のシリコン樹脂等のコーキング材を溝５０に充填した後、固化されてなるものであってもよく、構成材同士を組み付ける前の状態で、一方の構成材の溝に装着された状態となるものであればよい。
【００２４】
次に、構成材間をシールするシール構造の詳細を説明する。
【００２５】
図２に、土台材１０と、この土台材１０の上面に当接するようにして載置された壁材３０との間をシールするシール構造を示す。
【００２６】
壁材３０及び柱材２０との当接面となる土台材１０の上面には、長手方向に沿って、嵌合部８０と溝５０とが夫々延設されており、溝５０には、シール部材４０が装着されている。ここで、溝５０は、嵌合部８０の外側、より具体的には、壁材３０の外装面Ｇ側（図示右側）に設けられており、シール部材４０は、嵌合部８０の外側に配置されている。
【００２７】
また、土台材１０との当接面となる壁材３０の下面には、長手方向に沿って、土台材１０の嵌合部８０に凹凸嵌合する嵌合部８１が延設されている。ここで、本例では、土台材１０上面の嵌合部８０が凸状に形成され、壁材３０下面の嵌合部８１が凹状に形成されているが、これに限らず、土台材１０上面の嵌合部８０が凹状に形成され、壁材３０下面の嵌合部８１が凸状に形成されていてもよい。さらに、本例では、積重される複数の壁材３０の夫々が、互いに凹凸嵌合して積重されるように、各壁材３０の上下両面の夫々に、長手方向に沿って、上記と同様な嵌合部８０，８１が延設されている。
【００２８】
ところで、土台材１０は、無垢の木材から形成されているのであるが、壁材３０は、複数の木製部材を一体化して形成されている。具体的には、離間して対向配置された一対の第１木製部材７１と、各第１木製部材７１間にて離間して対向配置された一対の第２木製部材７２との４つの木製部材を、内部に中空部７０が形成されるようにして、一体化して形成されている。ここで、相互に接合する第１木製部材７１と第２木製部材７２との接合線Ｓは、下面嵌合部８１内に位置するようにして、土台材１０との当接面である下面に露呈されている。なお、第１木製部材７１と第２木製部材７２との一体化構造の詳細については、後述する。
【００２９】
本例の土台材１０及び壁材３０は、上述した通りの構造であり、シール部材４０は、土台材１０と壁材３０との凹凸嵌合部分の外側に配置され、しかも、壁材３０を構成する複数の木製部材７１，７２相互の接合線Ｓの外側に配置されている。また、シール部材４０は、土台材１０の上面に載置された壁材３０の自重により、壁材３０の下面にて押圧されて、土台材１０と壁材３０との間をシールしている。よって、壁材３０の外装面Ｇ側から土台材１０と壁材３０との相互の当接面間に水が侵入しない構造となっている。
【００３０】
また、土台材１０の上面には、シール部材４０を介在させた状態で柱材２０が立設されており、図示は省略するが、土台材１０との当接面となる柱材２０の下端面にてシール部材４０が押圧されている。よって、土台材１０と柱材２０との相互の当接面間においても、水が侵入しない構造となっている。
【００３１】
なお、本例では、壁材３０が、木製建築物の外装面Ｇ及び内装面Ｎを構成するものであることから、溝５０を外装面Ｇ側に設け、この溝５０にシール部材４０を装着して、シール部材４０を外装面Ｇ側に配置しているが、図示２点鎖線で示すように、内装面Ｎ側にも溝５０ａを設け、この溝５０ａにシール部材４０ａを装着して、壁材３０の表裏両面側に一対のシール部材４０，４０ａを並設してもよい。特に、構成材の表裏の両面が外装面となる木製屋外設備等において上述の構造を採用すると、構成材の表裏両面の双方からの水の侵入を防止できることから、好適である。また、構成材の表裏両面側の双方に溝を予め並設しておき、シールの必要性に応じて、一方の溝にシール部材を装着できるようにしておいてもよい。
【００３２】
また、土台材１０と壁材３０との間に限らず、図示２点鎖線で示すように、積重される上下の壁材３０間においても、一方の壁材３０に溝５０ｂを設け、この溝５０ｂにシール部材４０ｂを装着して、シール部材４０ｂによって壁材３０間をシールしてもよい。ここで、積重される壁材３０間をシール部材４０ｂによってシールする場合には、例えば土台材１０から１ｍ程度までの雨水が掛かり易い下側の壁材３０間においてのみシール部材４０ｂを設け、雨水の掛かり難い上側の壁材３０間においては、シール部材４０ｂを省略することとしてもよい。
【００３３】
さらに、構成材が上下に当接する態様では、図示２点鎖線で示すように、シール部材を装着する溝５０ｃを、上側に配置される構成材の下面に凹設することも好適である。上側の構成材の下面に溝５０ｃを凹設することで、溝５０ｃ内に水が溜まり難い構造となるからである。
【００３４】
図３に、柱材２０と、この柱材２０の側面に当接するようにして連結された壁材３０との間をシールするシール構造を示す。
【００３５】
壁材３０との当接面となる柱材２０の側面には、長手方向に沿って、嵌合部８１と溝５０とが夫々延設されており、溝５０には、シール部材４０が装着されている。ここで、溝５０は、嵌合部８１の外側、より具体的には、壁材３０の外装面Ｇ側（図示下側）に設けられており、シール部材４０は、嵌合部８１の外側に配置されている。
【００３６】
また、柱材２０との当接面となる壁材３０の端面には、上下方向に沿って、柱材２０の嵌合部８１に凹凸嵌合する嵌合部８０が延設されている。ここで、本例では、壁材３０の嵌合部８０が凸状に形成され、柱材２０の嵌合部８１が凹状に形成されているが、これに限らず、壁材３０の嵌合部８０が凹状に形成され、柱材２０の嵌合部８１が凸状に形成されていてもよい。
【００３７】
ところで、壁材３０が複数の木製部材を一体化して形成されていることは上述した通りであるが、柱材２０も同様に複数の木製部材を一体化して形成されている。具体的には、離間して対向配置された一対の第１木製部材７１と、各第１木製部材７１間にて離間して対向配置された一対の第２木製部材７２との４つの木製部材を、内部に中空部７０が形成されるようにして、一体化して形成されている。ここで、相互に接合する第１木製部材７１と第２木製部材７２との接合線Ｓは、溝５０の内側に位置するようにして、壁材３０との当接面である側面に露呈されている。なお、第１木製部材７１と第２木製部材７２との一体化構造の詳細については、後述する。
【００３８】
また、積重された個々の壁材３０は、端面に設けられたアリ溝３１と、柱材２０のアリ溝とに装着された連結部材６０によって、柱材２０に対して離間不能に、且つ、その端面によってシール部材４０を押圧するようにして、柱材２０に個別に連結されている。詳しくは、以下の通りである。
【００３９】
柱材１０の側面には、柱材２０の上端面に開放された断面略鳩尾状のアリ溝２１が凹設されている。一方、壁材３０の端面には、高さ方向に沿って、断面略Ｔ字状のアリ溝３１が凹設されている。ここで、壁材３０のアリ溝３１は、壁材３０の上面にて開放されてはいるものの、壁材３０の下面にて閉塞されており、壁材３０の上下に貫通しない構造となっている。これにより、壁材３０の端部がアリ溝３１によって全高に渡って厚さ方向に分断されず、壁材３０の端部の十分な強度が確保されている。
【００４０】
柱材２０と壁材３０とは、夫々のアリ溝２１，３１に装着された連結部材６０によって連結されている。ここで、連結部材６０は、一端側に、柱材２０のアリ溝２１にアリ嵌合するように、アリ溝２１と雌雄を反転した形状に形成されたアリ部６２を有し、他端側に、壁材３０のアリ溝３１にアリ嵌合するように、アリ溝３１と雌雄を反転した形状に形成されたアリ部６１を有するものであり、木材、樹脂、金属等の適宜の材質によって形成されたものである。また、壁材３０側のアリ部６１は、壁材３０のアリ溝３１よりも、０．２〜０．５ｍｍ程度、大きめに形成されており、アリ溝３１に圧入状態で装着されている。このような連結部材６０によって、壁材３０を柱材２０側に引き寄せるようにして柱材２０に連結しており、壁材３０の端面によってシール部材４０が確実に押圧されるようにしてある。
【００４１】
なお、連結部材６０は、壁材３０を構成する木材よりも硬い木材等、壁材３０よりも硬い材料により形成されており、連結部材６０のアリ部６１をアリ溝３１に圧入する際には、連結部材６０の形状に壁材３０のアリ溝３１が馴染んで変形する。これにより、柱材１０と壁材３０とは、ガタツキなく堅固に連結される。
【００４２】
本例の柱材２０及び壁材３０は、上述した通りの構造であり、シール部材４０は、柱材２０と壁材３０との凹凸嵌合部分の外側に配置され、しかも、柱材２０を構成する複数の木製部材７１，７２相互の接合線Ｓの外側に配置されている。また、シール部材４０は、柱材２０に対して引き寄せる応力が生じるように連結部材６０によって連結された壁材３０の端面にて押圧されて、柱材２０と壁材３０との間をシールしている。よって、壁材３０の外装面Ｇ側から柱材２０と壁材３０との相互の当接面間に水が侵入しない構造となっている。
【００４３】
なお、本例では、壁材３０が、木製建築物の外装面Ｇ及び内装面Ｎを構成するものであることから、溝５０を外装面Ｇ側に設け、この溝５０にシール部材４０を装着して、シール部材４０を外装面Ｇ側に配置しているが、図示２点鎖線で示すように、内装面Ｎ側にも溝５０ａを設け、この溝５０ａにシール部材４０ａを装着して、壁材３０の表裏両面側に一対のシール部材４０，４０ａを並設してもよい。特に、構成材の表裏の両面が外装面となる木製屋外設備等において上述の構造を採用すると、構成材の表裏両面の双方からの水の侵入を防止できることから、好適である。また、構成材の表裏両面側の双方に溝を予め並設しておき、シールの必要性に応じて、一方の溝にシール部材を装着できるようにしておいてもよい。
【００４４】
次に、複数の木製部材を一体化して形成された柱材２０及び壁材３０の構成について説明する。
【００４５】
図４に示すように、柱材２０及び壁材３０は、４つの木製部材、具体的には、一対の第１木製部材７１及び一対の第２木製部材７２を相互に組み付けて、全体として角柱状に形成された組付け木材として構成されている。なお、本例では、柱材２０の嵌合部８１、アリ溝２１及び溝５０，５０ａは、後加工により形成されるものであり、壁材３０の嵌合部８０，８１及び溝５０ｂ，５０ｃも、後加工により形成されるものであるため、組付け木材として、４面がフラットな角材を例示する。しかしながら、これに限らず、第１木製部材７１自体や第２木製部材７２自体に、嵌合部８０，８１、アリ溝２１や溝５０，５０ａ，５０ｂ、５０ｃ等の適宜の構成を予め形成しておいた上で一体化することで、適宜の面に、嵌合部８０，８１等の適宜の構成を具備するものとしてもよい。
【００４６】
一対の第１木製部材７１は、夫々、断面形状が略方形状に形成されており、互いに離間して対向配置されている。また、一対の第２木製部材７２は、夫々、断面形状が略方形状に形成されており、第１木製部材７１の離間方向に交差する方向、具体的には略直交する方向に互いに離間して対向配置されている。これにより、この組付け木材では、各第１木製部材７１の裏面と各第２木製部材７２の裏面とにより、組付け木材の全長に渡って貫通する略方形の中空部７０が構成されている。
【００４７】
なお、第２木製部材７２は、第１木製部材７１の側端面（図示では、上下の端面）と略面一となるように、一対の第１木製部材７１の間に埋設状に組み付けられている。よって、第１木製部材７１の表面側には、第２木製部材７２との接合線が露呈せず、建築物の表側に露呈する面に第１木製部材７１が配設されるように使用することで、この組付け木材を、建材としての外装材や内装材として好適に用いることができる。
【００４８】
次に、第１木製部材７１と第２木製部材７２との相互の組み付けについて説明する。
【００４９】
第１木製部材７１の裏面の中央部分は略凸状となっており、この略凸状部分の側面には、第１木製部材７１の幅方向に凹陥する凹部７３ｂ、及び、第１木製部材７１の幅方向に突出する凸部７３ａが、夫々、第１木製部材７１の長手方向全長に渡って延設されている。そして、これら凹部７３ｂ及び凸部７３ａにより被係止部７３が構成されている。一方、第２木製部材７２の裏面の両側部分には、第２木製部材７２の厚さ方向に凹陥し、第１木製部材７１の凸部７３ａと嵌合する凹部７４ｂ、及び、第２木製部材７２の厚さ方向に突出し、第１木製部材７１の凹部７３ｂと嵌合する凸部７４ａが、夫々、第２木製部材７２の長手方向全長に渡って延設されている。そして、これら凹部７４ｂ及び凸部７４ａにより、第１木製部材７１の被係止部７３を係止する係止部７４が構成されている。このように、第１木製部材７１と第２木製部材７４とには、夫々互いに係止し合う被係止部７３及び係止部７４が設けられており、対向配置された一対の第１木製部材７１の夫々は、その被係止部７３が、両側から取り付けられた一対の第２木製部材７２の係止部７４に係止されて、相互の移動が規制され、対向して離間した状態で固定される。
【００５０】
なお、本例のように、第１木製部材７１の被係合部７３を、凹部７３ｂ及び凸部７３ａの双方を有するものとして構成し、第２木製部材７２の係合部７４を、凸部７４ａ及び凹部７４ｂの双方を有するものとして構成するに限らず、被係合部７３または係合部７４の一方を、凹部７３ｂ，７４ｂを少なくとも有するものとして構成し、他方を、この凹部７３ｂ，７４ｂに嵌合する凸部７４ａ，７３ａを少なくとも有するものとして構成してもよく、或は、被係合部７３及び係合部７４を、凹凸嵌合ではなく、引掛けや挟持等の他の手法により係止を実現できる形態のものとしてもよい。また、係止部７４及び被係止部７３は、相互に係止し合うものであればよく、第１木製部材７１側を係止部、第２木製部材７２側を被係止部としてもよい。
【００５１】
一対の第１木製部材７１間に組み付けられた一対の第２木製部材７２は、そのままでは、不用意に外れてしまうため、第１木製部材７１及び第２木製部材７２の全体で、堅固に一体となった組付け木材とはならない。そこで、本例では、第１木製部材７１と第２木製部材７２との間にクサビ部材７８が設けられており、このクサビ部材７８により、第１木製部材７１からの第２木製部材７２の不用意な外れが防止されている。具体的には、以下の通りである。
【００５２】
第１木製部材７１の裏面の両側部分には、凹部７３ｂ及び凸部７３ａの凹陥及び突出方向とは異なる方向、より具体的には略直交する方向、である第１木製部材７１の厚さ方向に凹陥し、長手方向の全長に渡って延設された第１溝部７５が凹設されている。一方、第２木製部材７２の両側面には、第１木製部材７１の第１溝部７５と対向するように、凹部７４ｂ及び凸部７４ａの凹陥及び突出方向とは異なる方向、より具体的には略直交する方向、である第２木製部材７２の幅方向に凹陥し、長手方向の全長に渡って延設された第２溝部７６が凹設されている。そして、上記第１溝部７５と上記第２溝部７６とで、組付け木材の全長に渡って貫通する略方形状の孔部７７が構成されている。
【００５３】
この孔部７７には、孔部７７に充填されて硬化した樹脂により形成された部材や、予め孔部７７に応じた形状に形成され、組付け木材の長手方向から孔部７７に挿入された部材等、適宜の部材からなるクサビ部材７８が設けられている。そして、このクサビ部材７８によって、第１木製部材７１からの第２木製部材７２の不用意な外れが防止され、第１木製部材７１及び第２木製部材７２の全体で、堅固に一体化された組付け木材が形成されている。
【００５４】
なお、上述した手法に限らず、第１木製部材７１と第２木製部材７２とを、接着剤等によって接着したり、ボルトにより締結したり、釘止め等により一体化してもよく、さらには、上述の種々の手法を適宜組み合わせて一体化してもよい。
【図面の簡単な説明】
【００５５】
【図１】本発明に係るシール構造の一例を示す斜視図である。
【図２】土台材と壁材とのシール構造を示す断面正面図である。
【図３】柱材と壁材とのシール構造を示す断面平面図である。
【図４】柱材及び壁材の構成を示す断面平面図である。
【符号の説明】
【００５６】
Ｇ  外装面
Ｎ  内装面
Ｓ  接合線
１０  土台材
２０  柱材
２１  アリ溝
３０  壁材
３１  アリ溝
４０（ａ，ｂ）  シール部材
５０（ａ、ｂ、ｃ）  溝
６０  連結部材
６１  アリ部
６２  アリ部
７０  中空部
７１  第１木製部材
７２  第２木製部材
７３  被係止部
７３ａ  凸部
７３ｂ  凹部
７４  係止部
７４ａ  凸部
７４ｂ  凹部
７５  第１溝部
７６  第２溝部
７７  孔部
７８  クサビ部材
８０  嵌合部
８１  嵌合部
【図１】
2005083029.tif 000003
【図２】
2005083029.tif 000004
【図３】
2005083029.tif 000005
【図４】
2005083029.tif 000006